(57)【特許請求の範囲】
【請求項１】
音声出力装置を備え、電動工具に用いられる充電可能な電源バッテリーが着脱可能に装備され、屋外等の作業現場環境で載置して利用する持ち運び可能なラジオであって、当該ラジオを形成する箱体の上に、別機器の携帯音響再生装置を装着する装着手段と該装着手段の箇所を塞ぐことのできる保護蓋を備え、
前記携帯音響再生装置の音声を前記音声出力装置で再生可能とされるとともに、前記保護蓋は前記箱体の上面幅の範囲内で開閉可能に取り付けられていることを特徴とするラジオ。
【請求項２】
音声出力装置を備え、電動工具に用いられる充電可能な電源バッテリーが着脱可能に装備され、屋外等の作業現場環境で載置して利用する持ち運び可能なラジオであって、当該ラジオを形成する箱体の上部には、上方に起こした使用状態と後方へ倒した収納状態とに移動可能な持ち運びのための取っ手を備え、該取っ手は持ち運ぶ際に把持する握り部と、該握り部を前記箱体の上面部に対して支持する左右一対の支持腕を備えており、前記箱体の前面から見て前記使用状態における前記取っ手の左右両支持腕間に、別機器の携帯音響再生装置を装着する装着手段と該装着手段の箇所を塞ぐことのできる保護蓋を備え、
前記携帯音響再生装置の音声を前記音声出力装置で再生可能とされるとともに、前記保護蓋は前記箱体の上面幅の範囲内で開閉可能に取り付けられていることを特徴とするラジオ。
【請求項３】
音声出力装置を備え、電動工具に用いられる充電可能な電源バッテリーが着脱可能に装備され、屋外等の作業現場環境で載置して利用する持ち運び可能なラジオであって、当該ラジオを形成する箱体の上部には、上方に起こした使用状態と後方へ倒した収納状態とに移動可能な持ち運びのための取っ手を備え、該取っ手は持ち運ぶ際に把持する握り部と、該握り部を前記箱体の上面部に対して支持する支持腕を備えており、前記箱体の前面から見て前記使用状態における前記取っ手の握り部と前記箱体の上面部との間に、別機器の携帯音響再生装置を装着する装着手段と該装着手段の箇所を塞ぐことのできる保護蓋を備え、
前記携帯音響再生装置の音声を前記音声出力装置で再生可能とされるとともに、前記保護蓋は前記箱体の上面幅の範囲内で開閉可能に取り付けられていることを特徴とするラジオ。
【請求項４】
請求項１から請求項３のいずれかの請求項に記載の持ち運び可能ラジオであって、前記携帯音響再生装置には該装置の備える各機能を操作することのできる操作部を備え、当該携帯音響再生装置の装着状態において該操作部は操作者が外部から視認できる位置に装着されていることを特徴とするラジオ。
【請求項５】
請求項１から請求項４のいずれかの請求項に記載の持ち運び可能ラジオであって、前記装着手段に前記携帯音響再生装置を通信接続可能に接続するための接続端子を備えたラジオ。
【発明の詳細な説明】
【技術分野】
【０００１】
本発明は、音声出力装置を備え、電動工具に用いられる充電可能な電源バッテリが着脱可能に装備され、屋外等の作業現場環境で載置して利用する持ち運び可能なラジオに関する。
【背景技術】
【０００２】
電源の利用が困難又は不便な場所の多い建設現場等の作業現場においては、充電式バッテリにより駆動するコードレスの電動工具がしばしば利用される。一方、作業中に音楽やラジオ番組等を楽しむため、作業者は作業現場に携帯デジタル音楽プレーヤや携帯ラジオ等の携帯音響再生装置を持ち込むことがある。しかし、電動工具が使用される作業現場は作業者の往来や資材の運搬が多い環境であるため、一般の携帯音響再生装置は作業者の不意な接触や資材の落下等により損傷しやすく、このような環境下での使用に耐えないという問題があった。
このような問題に鑑みて、従来、電動工具に用いられるバッテリを電源として作動するラジオが知られている。例えば、下記特許文献１に開示されている装置がある。この特許文献１に図示された符号を括弧内に引用して該装置を説明すると、該装置は箱形のハウジング（１０）内に電動工具用バッテリで駆動されるオーディオユニット（３０）を備え、オーディオユニットはラジオとＣＤプレーヤとを有している。この装置は、ハウジングが円柱ロッド（１２２）を組み合わせたフレーム構造（１２０）により囲われて保護されており、上記のような環境において載置して利用することが想定されている。
この装置はまた、ハウジングの左側面（１４）に上記のオーディオユニットとつながる外部入力端子（８３）を備えており、この外部入力端子に別機器の携帯音響再生装置（１６０）を接続することで、この携帯音響再生装置内に記録された音楽等の音響データを転送して再生することも可能となっている。
【先行技術文献】
【特許文献】
【０００３】
【特許文献１】米国特許出願公開第２００５／０２２５２８８号明細書
【発明の概要】
【発明が解決しようとする課題】
【０００４】
しかしながら、上記の装置に携帯音響再生装置を接続する場合には、まず携帯音響再生装置を専用の密閉ケース（１６２）内に収容した上で、この密閉ケースを装置のハウジングの左側面に対して装着する必要があった。このため、この密閉ケースやハウジングへの着脱作業を含めて、携帯音響再生装置の取り扱いが面倒であるという問題があった。
本発明はこのような問題点に鑑みてなされたものであり、本発明が解決しようとする課題は、ラジオに接続する携帯音響再生装置の取り扱いを容易なものとすることにある。
【課題を解決するための手段】
【０００５】
本発明の第１の発明は、音声出力装置を備え、充電可能な電源バッテリが着脱可能に装備され、屋外等の作業現場環境で載置して利用する持ち運び可能なラジオであって、当該ラジオを形成する箱体の上面部には、別機器の携帯音響再生装置を当該ラジオと通信可能状態として直接に装着することのできる装着手段が備えられており、該携帯音響再生装置の音声を前記音声出力装置で再生可能とされることを特徴とする。
この構成によれば、装着手段により携帯音響再生装置をラジオを形成する箱体の上面部に直接に装着することができる。これにより携帯音響再生装置が箱体の上に位置することとなるため、携帯音響再生装置の着脱動作を含めて、携帯音響再生装置の取り扱いが容易である。
【０００６】
本発明の第２の発明は、第１の発明に係るラジオであって、前記携帯音響再生装置には該装置の備える各機能を操作することのできる操作部を備え、前記箱体の上面部への装着状態において該操作部は操作者が外部から視認できる位置に装着されていることを特徴とする。
この構成によれば、携帯音響再生装置を箱体の上面部へ装着すると、その操作部が操作者が外部から視認できる位置に装着されるため、携帯音響再生装置の備える各機能の操作を含めて、携帯音響再生装置の取り扱いがより一層容易となる。
【０００７】
本発明の第３の発明は、第１又は第２のいずれかの発明に係るラジオであって、前記箱体の上部には持ち運びのための取っ手を備え、該取っ手は前記箱体の上面部に装着される携帯音響再生装置を覆うように配設されて取り付けられていることを特徴とする。
この構成によれば、携帯音響再生装置を箱体の上面部に装着すると、取っ手が携帯音響再生装置を覆う。このため、作業現場環境における落下物等から携帯音響再生装置を保護し、携帯音響再生装置の損傷を抑えることができる。
【０００８】
本発明の第４の発明は、第１から第３までのいずれかの発明に係るラジオであって、前記携帯音響再生装置を装着する装着手段の箇所を、該携帯音響再生装置を装着しない状態で外部に対して塞ぐことのできる保護蓋を備えることを特徴とする。
この構成によれば、保護蓋により装着手段を外部に対して閉塞することで、作業現場環境における装着手段への水や塵埃の侵入を防止ないし低減し、装着手段の機能を保護できる。
【０００９】
本発明の第５の発明は、第４の発明に係るラジオであって、前記保護蓋は箱体にヒンジ結合されて該箱体の上面幅の範囲内で開閉可能に取り付けられていることを特徴とする。
この構成によれば、保護蓋を開閉してもラジオ本体の側方まではみ出すことがない。また、ラジオが側部を下にして転倒しても、保護蓋が床に接しない。したがって、保護蓋のラジオ本体からの脱離を抑制できる。
【００１０】
本発明の第６の発明は、第１から第５までのいずれかの発明に係るラジオであって、前記箱体の上面部は携帯音響再生装置を載置可能な構成とされていると共に、該箱体の上面部以外の適宜箇所には前記上面部に載置した携帯音響再生装置とコードを介して通信接続できる接続端子を備え、該接続端子から上面部に載置される携帯音響再生装置までの間に配索されるコードを箱体に沿わせて配索させるために箱体外面にコードを保持する保持部が備えられていることを特徴とする。
この構成によれば、接続端子から上面部に載置される携帯音響再生装置との間に配索されるコードを箱体外面に保持させて、コードを箱体に沿わせて配索することが可能なため、付近を通行する作業者や運搬される資材とコードとの不用意な接触を抑制することができる。したがって、ラジオの転倒を抑制することができ、ラジオ及び携帯音響再生装置の損傷を抑えることができる。
【００１１】
本発明の第７の発明は、第１から第６までのいずれかの発明に係るラジオであって、前記電源バッテリを着脱可能に取り付けるための少なくとも一つの取付部を備え、該取付部に異なる形状を有する複数の前記電源バッテリが着脱可能であって、該複数の電源バッテリのうちいずれの形状を有する電源バッテリが前記取付部に取り付けられても、該電源バッテリを取付方向に押さえて該取付部からの脱離を防止することが可能な脱離防止手段を備えることを特徴とする。
この構成によれば、脱離防止手段により、取付部にいずれの形状を有する電源バッテリが取り付けられても、作業現場環境における振動等による電源バッテリの取付部からの脱離を防止することができる。
【発明の効果】
【００１２】
本発明の第１の発明によれば、携帯音響再生装置装置の取り扱いが容易である。
本発明の第２の発明によれば、携帯音響再生装置装置の取り扱いがより一層容易となる。
本発明の第３の発明によれば、作業現場環境における落下物等から携帯音響再生装置を保護し、携帯音響再生装置の損傷を抑えることができる。
本発明の第４の発明によれば、作業現場環境における装着手段への水や塵埃の侵入を防止ないし低減し、装着手段の機能を保護できる。
本発明の第５の発明によれば、保護蓋のラジオ本体からの脱離を抑制できる。
本発明の第６の発明によれば、作業現場環境における作業者や資材とコードとの不意な接触を抑制し、ラジオの転倒を抑制し、ラジオ及び携帯音響再生装置の損傷を抑えることができる。
本発明の第７の発明によれば、電源バッテリの取付部からの脱離を防止することができる。
【図面の簡単な説明】
【００１３】
【図１】本実施形態のラジオを示す斜視図である。
【図２】ｉＰｏｄ（登録商標）を本実施形態のハウジング上面に装着した状態を示す斜視図である。
【図３】本実施形態のコネクタの保護蓋の開閉範囲を示す正面図である。
【図４】本実施形態の保持部にコードを保持させた状態を示す斜視図である。
【図５】本実施形態のコネクタの保護蓋を開閉するためのヒンジ構造を示す斜視図である。
【図６】ｉＰｏｄ（登録商標）を本実施形態のコネクタに接続した状態を示す断面図である。
【図７】本実施形態の取っ手及び裏蓋の開閉を示す右側面図である。
【図８】本実施形態のバッテリ収容室の内部を後側から示す背面図である。
【図９】本実施形態におけるバッテリの脱離防止手段を拡大して示す斜視図である。
【図１０】差込式バッテリを本実施形態の第２の取付部に取り付けた状態を示す断面図である。
【図１１】差込式バッテリを本実施形態の第３の取付部に取り付けた状態を示す断面図である。
【図１２】差込形状が図１１におけるものと異なる差込式バッテリを本実施形態の第３の取付部に取り付けた状態を示す断面図である。
【図１３】本実施形態のラジオの回路構成を概念的に示すブロック図である。
【発明を実施するための形態】
【００１４】
本実施形態に係るラジオ１を、図面を参照しながら説明する。
本実施形態に係るラジオ１は、電動工具が使用される屋外等の作業現場環境において専ら載置して利用されるものであり、この電動工具に用いられる充電可能なバッテリが着脱可能に装備され、電源として使用可能となっている。一方でこのラジオ１は、図２に示されるように取っ手３を備えており、持ち運びも可能となっている。
図１３に示されているように、このラジオ１はまた、別機器の携帯音響再生装置１００，２００を接続可能となっている。これにより本ラジオ１は、ＡＭ及びＦＭ放送を受信して音声出力装置５３により再生する通常のラジオとしての用途に加え、別機器の携帯音響再生装置１００，２００を接続することで、該装置１００，２００の内部に記録されている音楽等の音響データを上記の音声出力装置５３を通して再生することも可能である。
同図に示されているように、携帯音響再生装置１００，２００を本ラジオ１に接続する形態は２つある。第１の接続形態は、コードＣを介さず携帯音響再生装置１００をハウジング１０上面のコネクタ２２に対し接続する形態である。この第１の接続形態による場合、該装置１００はコネクタ２２に接続されることで同時にハウジング１０に対して直接に装着され、この装着状態のまま使用するものとされる。第２の接続形態は、携帯音響再生装置２００をコードＣを介してハウジング１０前面下部の外部入力端子１５に接続する形態である。この第２の接続形態による場合、該装置２００は通常ハウジング１０上面に載置した状態で使用するものとされる。なお、２つの異なる携帯音響再生装置１００，２００をそれぞれこの両接続形態にて同時に接続することは可能であるが、同時の再生は不可能である。
以下、本実施形態に係るラジオ１の構成の詳細を説明する。
【００１５】
まず、図１〜図３を参照しながら説明する。本ラジオ１は、概して直方体の箱形の形状に形成されたハウジング１０を備えている。ハウジング１０は、内部の回路やバッテリ等の電気系統を外来の水や塵埃から保護するものである。ハウジング１０の８箇所の隅を含む周囲には、外部からの衝撃を吸収しハウジング１０を保護する、エラストマ製のバンパ１１が取り付けられている。
ハウジング１０前面（図１で見て左側位置）には、操作パネル１２が設けられている。操作パネル１２には、受信周波数等の各種情報を表示するディスプレイが備えられ、その周囲には電源オン・オフ等の操作を行うボタン類が集中して配置されている。ボタン類には、電源ボタンの他、ラジオ１の選局又は音量の調節を行うつまみや、ラジオ１と外部入力とを切り替えるボタンが含まれる。
ハウジング１０前面の左右両側には、操作パネル１２を保護するため、ハウジング１０前面と平行な状態で張り出す一対の金属棒１３が設けられている。
ハウジング１０前面の下部には、ＡＣアダプタを接続する電源端子１４と、ステレオミニプラグを接続する外部入力端子１５（ＡＵＸ−ＩＮ端子）とを備える。電源端子１４は、前記電動工具用の充電式バッテリの他、ＡＣアダプタを介して交流電源を利用することを可能とるすものである。外部入力端子１５は、前述した第２の接続形態により携帯音響再生装置２００（図１３参照）をコードＣを介して本ラジオ１と通信可能に接続するための接続端子である。
ハウジング１０の前面左側の上下２箇所には、保持部１６が設けられている。この保持部１６は、ハウジング１０前面の下部に設けられた上記外部入力端子１５から、ハウジング１０上面に載置した携帯音響再生装置２００までの間に配索されるコードＣを、図４に示すように、ハウジング１０前面に保持するためのものである。保持部１６はエラストマ製であり、ハウジング１０前面を覆う前記バンパ１１と一体的に成形されている。
ハウジング１０の左右両側面の下部には、入力された音響信号からステレオ音声を再生する左右一対のスピーカ１７が備えられている。
ハウジング１０上部には、ラジオ放送の電波を受信するためのアンテナ１８が設けられている。
【００１６】
ハウジング１０上面にはまた、携帯音響再生装置１００を直接に装着する手段（装着手段２）が設けられている。なお、ここでいう「直接」の装着とは、コードＣやケーブルを介さず装着する場合に限る。
装着手段２は、図５及び図６に示されるように、ハウジング１０上面から内側に窪んだ形状２１を有している。この窪み形状２１の底部には、携帯音響再生装置１００を前述した第１の接続形態により本ラジオ１と通信可能に接続し、同時にハウジング１０に対して直接に装着するためのコネクタ２２を備えている。本ラジオ１のコネクタ２２は、ｉＰｏｄ（登録商標）及びｉＰｈｏｎｅ（登録商標）の各種モデルが共通に備えるいわゆるドックコネクタ１０３の接続に特化したものであり、その接続例として図２，図３，図６，図８に示されている携帯音響再生装置１００は、ｉＰｏｄ  ｔｏｕｃｈ（登録商標）である。
【００１７】
携帯音響再生装置１００は、一般的に、各種情報を表示する表示部１０１と、各種機能を操作可能な操作部１０２とを備える。特に、接続例として上記図２等に示されたｉＰｏｄ  ｔｏｕｃｈは表示部１０１に直接触れることにより操作可能とされているものであり、ゆえに上記表示部１０１と操作部１０２はケース表面の同一箇所に設けられている。装着手段２に装着された携帯音響再生装置１００は、図２及び図３に示すように、その操作部１０２（表示部１０１）が外部から視認可能な状態となっており、装着されたままで各種機能を操作可能である。なお、この装着により本ラジオ１と通信可能に接続された携帯音響再生装置１００は、本ラジオ１の操作パネル１２が備えるボタンによってもその各種機能を操作可能となっている。
【００１８】
装着手段２の上側には、コネクタ２２を外部からの水や埃から保護する保護蓋２３を備えている。
保護蓋２３は、ハウジング１０上面の前記窪み形状２１をヒンジ構造２４により開閉可能に結合されている。ヒンジ構造２４は、この窪み形状２１の右縁において前後方向を軸として設けられている。ヒンジ構造２４は、図５に示すように、保護蓋２３側において上記回動軸方向に互いに外向きに設けられた一対の凸部と、ハウジング１０側において同方向に互いに内向きに設けられた一対の凹部とを備え、これらが相互に嵌合されている。
保護蓋２３は、この軸周り右上方に向かって回動することにより窪み形状２１を開放し、逆方向の回動によりハウジング１０上面とほぼ同一面となるように窪み形状２１を閉塞する。保護蓋２３の開閉は、図３に示すように、ハウジング１０の上面幅の範囲内にてなされる。すなわち保護蓋２３は、図３において二点鎖線で示された開放限度が、破線で示されたハウジング１０の右側面の上方延長より左側にある。
またヒンジ構造２４の上記嵌合は、保護蓋２３にその開放限度から更に開放方向への荷重が加わると脱離するように構成されている。保護蓋２３にその開閉方向と異なる方向への荷重が加わった場合も同様に脱離する。
【００１９】
ハウジング１０上部にはまた、本ラジオ１の持ち運びのための取っ手３が設けられている。
取っ手３は、持ち運ぶ際に把持する握り部３１と、この握り部３１をハウジング１０に対して支持する支持腕３２とを備える。支持腕３２は、ハウジング１０上面の左右にそれぞれ設けられ、その一端がハウジング１０に対して回動可能とされている。握り部３１は、左右の両支持腕３２の他端を相互に水平に連結している。取っ手３は、図７に示されるように、後方から上方までの約９０度の範囲で回動可能とされている。取っ手３は、後方位置へ水平に倒すことで収納状態（図１参照）とされ、また上方位置へ垂直に起こすことで使用状態（図２参照）とされる。取っ手３は、水平位置に倒すとハウジング１０上面とほぼ同じ高さとなる。
【００２０】
取っ手３は、図２に示すように、上方位置へ起こすと装着手段２に装着された携帯音響再生装置１００を覆うよう構成される。ここで、取っ手３が携帯音響再生装置１００を「覆う」とは、取っ手３の最高部が少なくとも装着された携帯音響再生装置１００よりも高い位置にあることである。本実施形態においては、図３に良く示されているように、取っ手３の握り部３１が携帯音響再生装置１００よりも高い位置にある。更に、取っ手３が装着された携帯音響再生装置１００の少なくとも一部を跨いだ状態となっていることが好ましい。本実施形態においては、図６に良く示されているように、装着手段２がハウジング１０上面において上方位置に起こされた取っ手３よりもやや前方位置に設けられている一方で、装着手段２が備えるコネクタ２２が携帯音響再生装置１００を後方に傾いた状態で支持している。これにより、装着された携帯音響再生装置１００の上端部が、取っ手３（左右の支持腕３２及び握り部３１）が囲む空間内に位置し、すなわち取っ手３が携帯音響再生装置１００の上端部を跨いだ状態となっている。
取っ手３と支軸との間には、取っ手３を上記の上方位置でロックするための手段が設けられている。このロック手段は図示されないが、取っ手３が荷重を受けても自然に回動することなく、かつ手動で回動させることが可能となるよう、左右各支持腕３２の一端とハウジング１０との間に適当な回動抵抗を付与するものである。
【００２１】
次に、図６から図１２までを参照しながら、バッテリ収容室４及びバッテリの取り付け形態について説明する。
前述のように、本ラジオ１は電源として電動工具用の電源バッテリを使用可能である。このバッテリは内部に二次電池を備えた各種形状を有する二次電池パックとして構成されている。ハウジング１０内の後部は、このバッテリの収容室とされている。ハウジング１０は、その後面部の大部分と上面部の後部とを主に含む裏蓋１０ａと、その他の本体部分１０ｂとに分割構成されている。
裏蓋１０ａは、図７に示されているように、その下端における水平軸周りに回動可能とされており、この回動により上記バッテリ収容室４を開閉する。ハウジング１０上部には、図６に示されるように、裏蓋１０ａをバッテリ収容室４の閉塞状態にロックするためのロック部１９が設けられている。
バッテリ収容室４の前壁４ａには、図８に示されているように、二次電池パックの形状や、二次電池の種類、電圧、容量等の異なる各種のバッテリを、電気的に接続した状態で取り付けるための取付部が設けられている。この取付部としては、第１、第２、第３の３種類の取り付け部４１，４２，４３が上から順に配設されている。
最上部に位置する第１の取付部４１は、スライド式バッテリ（図示しない）が着脱可能となっており、スライド動作をガイドする左右一対の平行なガイド４１ａと、その間に設けられた電極４１ｂとを有する。スライド式バッテリは、このガイド４１ａに沿って上から下へスライドされて、電極４１ｂと接続される位置でロックされることにより取り付けられる。
この下に順次位置する第２及び第３の取付部４２，４３は、差込式バッテリが着脱可能となっており、差込動作をガイドする水平方向の差込穴４２ａ，４３ａと、その奥部に設けられた電極４２ｂ，４３ｂとをそれぞれに有する。差込式バッテリは、この差込穴４２ａ，４３ａに沿って後方から前方へ、電極４２ｂ，４３ｂと接続される位置まで差し込まれて取り付けられる。
図１０には、第２の取付部４２に差込式バッテリＢ１が取り付けられた状態が示されている。なお第３の取付部４３の差込穴４３ａは、差込式バッテリの２種類の差込形状に対応可能な形状とされている。図１１と図１２とには、第３の取付部４３に上記差込形状の異なる差込式バッテリＢ２，Ｂ３がそれぞれ取り付けられた状態が示されている。なお、これらの差込式バッテリＢ１，Ｂ２，Ｂ３は、差込形状が同一であっても他の部分の形状（例えば背面形状）が異なるものが存在する。
バッテリ収容室４の内壁にはまた、取付部に取り付けられた差込式バッテリＢ１，Ｂ２，Ｂ３が取付部から脱離するのを防止する手段が設けられている。この脱離防止手段４４は、取付部に取り付けられた差込式バッテリＢ１，Ｂ２，Ｂ３をその差込方向に押さえるものである。脱離防止手段４４は、バッテリ収容室４の側壁４ｂに対して回動可能に支持された押さえ具４５と、この押さえ具４５を差込式バッテリの差込方向に回動するように付勢するトーションばね４６とを有する。押さえ具４５は、金属棒を折り曲げて形成されており、その両端部が上述のように左右両側壁４ｂに対して支持され、その中間部が取付部に取り付けられた差込式バッテリＢ１，Ｂ２，Ｂ３の背面に当接して差込方向に押さえる。押さえ具４５は、第２又は第３の取付部４２，４３に着脱可能な差込式バッテリＢ１，Ｂ２，Ｂ３のうち、いずれの形状を有する差込式バッテリが取り付けられても、その背面に対して当接可能な位置及び形状にて構成されている。
【００２２】
次に、本ラジオ１の回路構成について概念的に説明する。
本ラジオ１は、図１３に示されるように、受信装置を含む入力装置５１と、処理装置５２と、増幅器を含む音声出力装置５３とを備える。受信装置は、ラジオ放送の電波を前記アンテナ１８により受信し、同調回路、検波回路等を経て音響信号を生成する。処理装置５２は、前記操作パネル１２及び第１接続形態により接続された携帯音響再生装置１００に関する入出力制御、必要な音響信号の処理、電源管理等を司る。増幅器は、受信装置又は携帯音響再生装置１００，２００から入力された音響信号を増幅する。増幅器により増幅された音響信号は、ハウジング１０の左右両側面に設けられた前記スピーカ１７に入力されて、音声として再生される。
【００２３】
以上のように構成されるラジオ１は、以下のような作用効果を奏する。
この構成によれば、装着手段２のコネクタ２２に接続することにより、携帯音響再生装置１００がラジオ１のハウジング１０の上面に直接に装着することができる。これにより携帯音響再生装置１００がハウジング１０の上に位置するため、携帯音響再生装置１００の着脱作業を含めて、携帯音響再生装置１００の取り扱いが容易である。また、携帯音響再生装置１００をハウジング１０の上面へ装着すると、その操作部１０２が操作者が外部から視認できる位置に装着されるため、携帯音響再生装置１００の備える各機能の操作を含めて、携帯音響再生装置１００の取り扱いがより一層容易となる。
さらにこの構成によれば、保護蓋２３により装着手段２の窪み形状２１を外部に対して閉塞することで、作業現場環境における装着手段２への水や埃の侵入を防止ないし低減し、特にコネクタ２２の通信機能及び装着機能を保護できる。
さらにこの構成によれば、保護蓋２３の開閉はハウジング１０の上面幅の範囲内にてなされるため、保護蓋２３を限界まで開放してもハウジング１０の右側面の上方延長よりも外側にはみ出すことがない。また、ラジオ１が右側面を下にして転倒しても、保護蓋２３が床に接しない。したがって、保護蓋２３のハウジング１０からの脱離を抑制できる。
さらにこの構成によれば、保護蓋２３にその開放限度から更に開放方向への荷重や、その開閉方向と異なる方向への荷重が加わると、ヒンジ構造２４の嵌合が脱離する。したがって、万が一、落下物やラジオ１の転倒等により保護蓋２３に無理な力が加わった場合、ヒンジ構造２４の嵌合が外れることにより保護蓋２３がハウジング１０から脱離して、保護蓋２３が破損することが防止される。
さらにこの構成によれば、携帯音響再生装置１００をハウジング１０の上面部に装着し、取っ手３を上方位置に起こすと、この取っ手３が携帯音響再生装置１００を覆う。このため、作業現場環境における落下物等から携帯音響再生装置１００を保護し、携帯音響再生装置１００の損傷を抑えることができる。さらに、上方位置に起こされた取っ手３はロック手段によりこの上方位置にロックされる。このため、取っ手３が荷重を受けても自然に回動せず、落下物等から携帯音響再生装置１００をより一層保護することができる。
さらにこの構成によれば、外部入力端子１５から上面部に載置される携帯音響再生装置２００までを繋ぐコードＣの２箇所をハウジング１０外面に保持させて、コードＣをハウジング１０に沿わせて配索することが可能なため、作業現場環境において付近を通行する作業者や運搬される資材とコードＣとの不用意な接触を抑制することができる。これにより、ラジオ１の転倒を抑制し、ラジオ１及び携帯音響再生装置２００の損傷を抑えることができる。
【００２４】
なお、本発明に係るラジオは、上記の第１及び第２の実施形態に限定されるものではなく、その他各種の形態で実施できるものである。
まず、装着手段２は携帯音響再生装置１００のハウジング１０上面への装着のみを行い、ラジオ１との通信可能な接続はコードＣを介して該装着手段２とは異なる接続端子（例えば外部入力端子１５）において行っても良い。言い換えれば、前記の第２の接続形態において、携帯音響再生装置２００をハウジング１０上面に載置して使用する代わりに、ハウジング１０上面に設けられた（接続機能を有しない）装着手段により携帯音響再生装置２００をハウジング１０上面に装着して使用しても良い。
また、装着状態において外部から視認可能であるのは携帯音響再生装置１００の操作部１０２及び表示部１０１であったが、このうちいずれか片方のみが視認可能であっても良く、またこのうちいずれか片方のみを有する携帯音響再生装置１００を使用しても良い。操作部１０２が視認可能であれば携帯音響再生装置１００の各種機能の操作としての取り扱いが容易となり、表示部１０１が視認可能であれば各種情報の確認としての取り扱いが容易となる。
また、本発明における「携帯音響再生装置」とは、携帯可能でかつ内部のメモリに記録されている音響データを音響信号として出力可能な装置のことであり、ｉＰｏｄ（登録商標）及びｉＰｈｏｎｅ（登録商標）に限定されない。本実施形態におけるコネクタ２２は、ｉＰｏｄ（登録商標）及びｉＰｈｏｎｅ（登録商標）の各種モデルの装着に特化したものであったが、これらとは異なる携帯音響再生装置１００の接続に特化したものであっても良い。また、独自の再生機能を持たない汎用のＵＳＢフラッシュメモリとし、装着手段２のコネクタ２２はこれを相互通信可能に接続するＵＳＢ端子としても良い。
また、本実施形態のラジオ１はＡＭ、ＦＭ放送を受信するアナログラジオであったが、これに限らず、デジタル放送を聴取可能なデジタルラジオや、Ｗｉ−Ｆｉ等の無線ＬＡＮを経由してインターネットに接続しラジオコンテンツを聴取可能なインターネットラジオとしても良く、またこれらの複数を併用するものでも良い。インターネットラジオとする場合、前記処理装置５２はアンテナ１８を介して無線ＬＡＮによる双方向のデータ通信を行う。ＡＭ、ＦＭ放送波の受信障害となる高層建造物の多い都市部では、逆にアクセスポイントの多いインターネットラジオが有利である。
【符号の説明】
【００２５】
１    ラジオ
１０  ハウジング
１１  バンパ
１２  操作パネル
１３  金属棒
１４  電源端子
１５  外部入力端子
１６  保持部
１７  スピーカ
１８  アンテナ
１９  ロック部
２    装着手段
２１  窪み形状
２２  コネクタ
２３  保護蓋
２４  ヒンジ構造
３    取っ手
３１  握り部
３２  支持腕
４    バッテリ収容室
４１，４２，４３  取付部
４４  脱離防止手段
４５  押さえ具
４６  トーションばね
５１  入力装置
５２  処理装置
５３  音声出力装置
１００      携帯音響再生装置
１０１      表示部
１０２      操作部
１０３      ドックコネクタ
２００      携帯音響再生装置
Ｂ１，Ｂ２，Ｂ３  差込式バッテリ
Ｃ    コード
【図１】
0005670839.tif 000002
【図２】
0005670839.tif 000003
【図３】
0005670839.tif 000004
【図４】
0005670839.tif 000005
【図５】
0005670839.tif 000006
【図６】
0005670839.tif 000007
【図７】
0005670839.tif 000008
【図８】
0005670839.tif 000009
【図９】
0005670839.tif 000010
【図１０】
0005670839.tif 000011
【図１１】
0005670839.tif 000012
【図１２】
0005670839.tif 000013
【図１３】
0005670839.tif 000014